【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
通信の方法であって、
特定のデバイスにおいて制御メッセージを生成することと、ここで、前記制御メッセージは前記特定のデバイスによって送信されるべきデータのアベイラビリティを示し、前記データは第１のアクセスカテゴリに対応する第１のデータを含む、
前記制御メッセージの送信が遅らされるべきであると決定したことに続いて、前記第１のアクセスカテゴリに基づいて第１の遅延を決定することと、
遅延期間が満了すると前記特定のデバイスから前記制御メッセージを送信することと、ここで、前記遅延期間は前記第１の遅延に基づき、前記遅延期間は、送信媒体がアイドル状態であることを検出したことに応答して開始する、
を備える、方法。
【請求項２】
第１の遅延期間の満了の前および前記制御メッセージを送信する前に第１のページングウィンドウが経過したと決定することをさらに備え、前記第１の遅延期間が前記第１の遅延に対応し、
前記遅延期間が前記第１の遅延期間の満了していない部分に基づく、請求項１に記載の方法。
【請求項３】
前記制御メッセージが前記第１のページングウィンドウに続く第２のページングウィンドウの間に送信される、請求項２に記載の方法。
【請求項４】
前記制御メッセージが、トラフィックアドバタイズメントまたはトリガ要求を含む、請求項１に記載の方法。
【請求項５】
前記第１の遅延が、前記第１のアクセスカテゴリに対応するデータを送信する媒体アクセススキームに基づいて決定され、前記媒体アクセススキームおよび前記第１のアクセスカテゴリを含む複数のアクセスカテゴリが、米国電気電子学会（ＩＥＥＥ）８０２．１１ｅ規格に適合する、請求項１に記載の方法。
【請求項６】
前記特定のデバイスにおいて、前記第１のアクセスカテゴリに基づいて複数の送信待ち行列のうちの第１の送信待ち行列を選択することと、
前記特定のデバイスにおいて、前記制御メッセージを前記第１の送信待ち行列に追加することとをさらに備え、
前記複数の送信待ち行列の各々が、対応するアクセスカテゴリに基づいて処理される、請求項１に記載の方法。
【請求項７】
第２の送信待ち行列が前記第１の送信待ち行列の前に処理されるべきであると決定したことに応答して、前記制御メッセージの送信が遅らされるべきであると決定することをさらに備える、請求項６に記載の方法。
【請求項８】
前記第１の送信待ち行列を処理することが、前記特定のデバイスから前記制御メッセージを送信することを含む、請求項６に記載の方法。
【請求項９】
前記第１のデータが前記第１のアクセスカテゴリに対応することを前記制御メッセージが示す、請求項１に記載の方法。
【請求項１０】
前記制御メッセージがトラフィックアドバタイズメントを含み、前記第１のデータが第１のデバイスに送信されるべきであり、前記トラフィックアドバタイズメントが前記第１のデバイスを示す第１のビットマップを含み、前記第１のビットマップが前記第１のアクセスカテゴリと関連付けられることを前記トラフィックアドバタイズメントが示す、請求項１に記載の方法。
【請求項１１】
前記データがさらに、第２のアクセスカテゴリと関連付けられる第２のデータを含み、前記第２のデータが第２のデバイスに送信されるべきであり、前記トラフィックアドバタイズメントが前記第２のデバイスを示す第２のビットマップを含み、前記第２のビットマップが前記第２のアクセスカテゴリと関連付けられることを前記トラフィックアドバタイズメントが示す、請求項１０に記載の方法。
【請求項１２】
命令を記憶するコンピュータ可読記憶デバイスであって、前記命令が、プロセッサによって実行されると、前記プロセッサに、請求項１−１１のうちのいずれかに記載の方法を実行させる、コンピュータ可読記憶デバイス。
【請求項１３】
デバイスのセットのうちの少なくとも１つのデバイスへ送信されるべきデータのアベイラビリティを示す制御メッセージを生成するための手段と、ここで、前記データは、第１のアクセスカテゴリと関連付けられる第１のデータを含む、
前記制御メッセージの送信が遅らされるべきであると決定したことに続いて、前記第１のアクセスカテゴリに基づいて第１の遅延を決定するための手段と、
遅延期間が満了すると前記制御メッセージを送信するための手段と、ここで、前記遅延期間は前記第１の遅延に基づき、前記遅延期間は、送信媒体がアイドル状態であることを検出したことに応答して開始する、
を備える、装置。
【請求項１４】
生成するための前記手段および送信するための前記手段が、通信デバイス、音楽プレーヤ、ビデオプレーヤ、エンターテインメントユニット、ナビゲーションデバイス、携帯情報端末（ＰＤＡ）、モバイルデバイス、コンピュータ、デコーダ、またはセットトップボックスに組み込まれる、請求項１３に記載の装置。
【手続補正２】
【補正対象書類名】明細書
【補正対象項目名】０６１８
【補正方法】変更
【補正の内容】
【０６１８】
[0667]開示された態様の上記の説明は、当業者が開示された態様を製作または使用することを可能にするために提供されている。これらの態様への様々な修正が当業者には容易に明らかになり、本明細書で定義された原理が、本開示の範囲から逸脱することなく他の態様に適用され得る。したがって、本開示は、本明細書に示された態様に限定されることを意図されておらず、以下の特許請求の範囲によって定義される原理および新規な特徴と一致する可能な最も広い範囲を与えられるべきである。
以下に本願発明の当初の特許請求の範囲に記載された発明を付記する。
［Ｃ１］
通信の方法であって、
特定のデバイスにおいて制御メッセージを生成することと、ここで、前記制御メッセージは前記特定のデバイスによって送信されるべきデータのアベイラビリティを示し、前記データは第１のアクセスカテゴリに対応する第１のデータを含む、
前記制御メッセージの送信が遅らされるべきであると決定したことに続いて、前記第１のアクセスカテゴリに基づいて第１の遅延を決定することと、
遅延期間が満了すると前記特定のデバイスから前記制御メッセージを送信することと、ここで、前記遅延期間は前記第１の遅延に基づく、
を備える、方法。
［Ｃ２］
第１の遅延期間の満了の前および前記制御メッセージを送信する前に第１のページングウィンドウが経過したと決定することをさらに備え、前記第１の遅延期間が前記第１の遅延に対応し、
前記遅延期間が前記第１の遅延期間の満了していない部分に基づく、Ｃ１に記載の方法。
［Ｃ３］
前記制御メッセージが前記第１のページングウィンドウに続く第２のページングウィンドウの間に送信される、Ｃ２に記載の方法。
［Ｃ４］
前記制御メッセージが、トラフィックアドバタイズメントまたはトリガ要求を含む、Ｃ１に記載の方法。
［Ｃ５］
前記遅延期間は、送信媒体がアイドル状態であることを検出したことに応答して、第１の時間において開始し、前記遅延期間は、前記第１の遅延に基づく時間間隔の間、前記第１の時間に続いて前記送信媒体がアイドル状態にとどまっていたと決定したことに応答して、満了する、Ｃ１に記載の方法。
［Ｃ６］
前記第１の遅延が、前記第１のアクセスカテゴリに対応するデータを送信する媒体アクセススキームに基づいて決定され、前記媒体アクセススキームおよび前記第１のアクセスカテゴリを含む複数のアクセスカテゴリが、米国電気電子学会（ＩＥＥＥ）８０２．１１ｅ規格に適合する、Ｃ１に記載の方法。
［Ｃ７］
前記特定のデバイスにおいて、前記第１のアクセスカテゴリに基づいて複数の送信待ち行列のうちの第１の送信待ち行列を選択することと、
前記特定のデバイスにおいて、前記制御メッセージを前記第１の送信待ち行列に追加することとをさらに備え、
前記複数の送信待ち行列の各々が、対応するアクセスカテゴリに基づいて処理される、Ｃ１に記載の方法。
［Ｃ８］
第２の送信待ち行列が前記第１の送信待ち行列の前に処理されるべきであると決定したことに応答して、前記制御メッセージの送信が遅らされるべきであると決定することをさらに備える、Ｃ７に記載の方法。
［Ｃ９］
前記第１の送信待ち行列を処理することが、前記特定のデバイスから前記制御メッセージを送信することを含む、Ｃ７に記載の方法。
［Ｃ１０］
前記第１のデータが前記第１のアクセスカテゴリに対応することを前記制御メッセージが示す、Ｃ１に記載の方法。
［Ｃ１１］
前記制御メッセージがトラフィックアドバタイズメントを含み、前記第１のデータが第１のデバイスに送信されるべきであり、前記トラフィックアドバタイズメントが前記第１のデバイスを示す第１のビットマップを含み、前記第１のビットマップが前記第１のアクセスカテゴリと関連付けられることを前記トラフィックアドバタイズメントが示す、Ｃ１に記載の方法。
［Ｃ１２］
前記データがさらに、第２のアクセスカテゴリと関連付けられる第２のデータを含み、前記第２のデータが第２のデバイスに送信されるべきであり、前記トラフィックアドバタイズメントが前記第２のデバイスを示す第２のビットマップを含み、前記第２のビットマップが前記第２のアクセスカテゴリと関連付けられることを前記トラフィックアドバタイズメントが示す、Ｃ１１に記載の方法。
［Ｃ１３］
命令を記憶するコンピュータ可読記憶デバイスであって、前記命令が、プロセッサによって実行されると、前記プロセッサに、
特定のデバイスから第１のデバイスにおいてトラフィックアドバタイズメントを受信することと、ここで、前記トラフィックアドバタイズメントは前記特定のデバイスによって送信されるべきデータのアベイラビリティを示し、前記データは第１のアクセスカテゴリと関連付けられる第１のデータを含む、
前記トラフィックアドバタイズメントに基づいて制御メッセージを生成することと、ここで、前記制御メッセージは肯定応答（ＡＣＫ）またはトリガメッセージを含む、
前記制御メッセージの送信が遅らされるべきであると決定したことに続いて、前記第１のアクセスカテゴリに基づいて第１の遅延を決定することと、
前記第１の遅延に基づく遅延期間が満了すると、前記第１のデバイスから前記特定のデバイスに前記制御メッセージを送信することと
を備える動作を実行させる、コンピュータ可読記憶デバイス。
［Ｃ１４］
前記第１のデータが前記第１のアクセスカテゴリと関連付けられることを前記トラフィックアドバタイズメントが示すと決定したことに応答して、前記第１の遅延が前記第１のアクセスカテゴリに基づいて決定される、Ｃ１３に記載のコンピュータ可読記憶デバイス。
［Ｃ１５］
フレームが前記トラフィックアドバタイズメントを含み、前記トラフィックアドバタイズメントが前記第１のアクセスカテゴリと関連付けられることを前記フレームのフィールドが示すと決定したことに応答して、前記第１の遅延が前記第１のアクセスカテゴリに基づいて決定される、Ｃ１３に記載のコンピュータ可読記憶デバイス。
［Ｃ１６］
前記遅延期間は、送信媒体がアイドル状態であることを検出したことに応答して、第１の時間において開始し、前記遅延期間は、前記第１の遅延に基づく時間間隔の間、前記第１の時間に続いて前記送信媒体がアイドル状態にとどまっていたと決定したことに応答して、満了する、Ｃ１３に記載のコンピュータ可読記憶デバイス。
［Ｃ１７］
前記動作が、
前記第１のデバイスにおいて、前記第１のアクセスカテゴリに基づいて複数の送信待ち行列のうちの第１の送信待ち行列を選択することと、
前記特定のデバイスにおいて、前記制御メッセージを前記第１の送信待ち行列に追加することとをさらに備え、
前記複数の送信待ち行列の各々が、対応するアクセスカテゴリに基づいて処理される、Ｃ１３に記載のコンピュータ可読記憶デバイス。
［Ｃ１８］
前記動作が、第２の送信待ち行列が前記第１の送信待ち行列の前に処理されるべきであると決定したことに応答して、前記制御メッセージの送信が遅らされるべきであると決定することをさらに備える、Ｃ１７に記載のコンピュータ可読記憶デバイス。
［Ｃ１９］
前記第１の送信待ち行列を処理することが、前記第１のデバイスから前記制御メッセージを送信することを含む、Ｃ１７に記載のコンピュータ可読記憶デバイス。
［Ｃ２０］
前記トラフィックアドバタイズメントがページングウィンドウの間に受信され、前記データがデバイスのセットのうちの複数のデバイスへ送信されるのに利用可能であることを前記トラフィックアドバタイズメントが示し、前記制御メッセージが前記ＡＣＫを含み、前記第１のデバイスが前記複数のデバイスのリーダーデバイスであると決定したことに応答して、前記ＡＣＫが前記ページングウィンドウの間に送信される、Ｃ１３に記載のコンピュータ可読記憶デバイス。
［Ｃ２１］
前記トラフィックアドバタイズメントがページングウィンドウの間に受信され、前記データがデバイスのセットのうちの複数のデバイスへ送信されるのに利用可能であることを前記トラフィックアドバタイズメントが示し、前記制御メッセージが前記ＡＣＫを含み、前記トラフィックアドバタイズメントがユニキャストメッセージを含み、前記第１のデバイスがユニキャストメッセージの宛先であることを前記ユニキャストメッセージが示すと決定したことに応答して、前記ＡＣＫが前記ページングウィンドウの間に送信される、Ｃ１３に記載のコンピュータ可読記憶デバイス。
［Ｃ２２］
通信のための装置であって、
特定のデバイスにおいて制御メッセージを生成するように構成されたプロセッサと、ここで、前記制御メッセージは、前記特定のデバイスによって送信されるべきデータのアベイラビリティを示し、前記制御メッセージは、前記データが第１のアクセスカテゴリに対応する第１のデータを含むことを示す、
前記特定のデバイスから前記制御メッセージを送信するように構成された送信機と、
を備える、装置。
［Ｃ２３］
前記プロセッサが、前記制御メッセージの送信が遅らされるべきであると決定したことに応答して、前記第１のアクセスカテゴリに基づいて第１の遅延を決定するようにさらに構成され、遅延期間が満了すると前記制御メッセージが送信され、前記遅延期間が前記第１の遅延に基づく、Ｃ２２に記載の装置。
［Ｃ２４］
前記プロセッサが、送信媒体がアイドル状態であることを第１の時間において検出するようにさらに構成され、前記第１の遅延に基づく時間間隔の間、前記第１の時間に続いて前記送信媒体がアイドル状態にとどまっていたと決定したことに応答して、前記遅延期間が満了する、Ｃ２３に記載の装置。
［Ｃ２５］
前記第１の遅延が前記第１のアクセスカテゴリに対応するデータを送信する媒体アクセススキームに基づいて決定される、Ｃ２３に記載の装置。
［Ｃ２６］
前記制御メッセージが、トラフィックアドバタイズメントまたはトリガ要求を含む、Ｃ２２に記載の装置。
［Ｃ２７］
前記プロセッサが、
前記特定のデバイスにおいて、前記第１のアクセスカテゴリに基づいて複数の送信待ち行列のうちの第１の送信待ち行列を選択することと、
前記特定のデバイスにおいて、前記制御メッセージを前記第１の送信待ち行列に追加することとを行うようにさらに構成され、
前記複数の送信待ち行列の各々が、対応するアクセスカテゴリに基づいて処理される、Ｃ２２に記載の装置。
［Ｃ２８］
前記プロセッサが、第２の送信待ち行列が前記第１の送信待ち行列の前に処理されるべきであると決定したことに応答して、前記制御メッセージの送信が遅らされるべきであると決定するようにさらに構成される、Ｃ２７に記載の装置。
［Ｃ２９］
デバイスのセットのうちの少なくとも１つのデバイスへ送信されるべきデータのアベイラビリティを示す制御メッセージを生成するための手段と、ここで、前記データは、第１のアクセスカテゴリと関連付けられる第１のデータを含む、
遅延期間が満了すると前記制御メッセージを送信するための手段と、ここで、前記遅延期間は前記第１のアクセスカテゴリに基づく、
を備える、装置。
［Ｃ３０］
生成するための前記手段および送信するための前記手段が、通信デバイス、音楽プレーヤ、ビデオプレーヤ、エンターテインメントユニット、ナビゲーションデバイス、携帯情報端末（ＰＤＡ）、モバイルデバイス、コンピュータ、デコーダ、またはセットトップボックスに組み込まれる、Ｃ２９に記載の装置。